(57)【特許請求の範囲】
【請求項１】
有底筒状の孔部を有し、前記孔部の開口端から底部に向けて押圧される第１の押圧釦と、
前記孔部の内周面と側面で遊嵌する第２の押圧釦と、
前記第１の押圧釦の端部と係合して押圧方向への前記端部の動きを規制する移動規制部材とを備える操作釦であって、
前記第１の押圧釦は、前記端部を支点として揺動自在となるように設けられ、
前記第１の押圧釦は、前記孔部が設けられる第１の押圧面と、前記第１の押圧面の裏面から押圧方向に突出する第１の突出部とを備え、
前記第２の押圧釦は、前記第１の押圧面と略同じ方向に向けて設けられる第２の押圧面と、前記第２の押圧面の裏面から押圧方向に突出して前記孔部の底部に設けられた嵌合穴と遊嵌する第２の突出部とを備え、
前記操作釦は、
前記第１の突出部に対向して設けられる第１のスイッチと、
前記第２の突出部に対向して設けられる第２のスイッチと、
前記第１のスイッチ及び前記第２のスイッチが固定される支持体と、
前記第１の押圧釦と前記支持体との間に設けられ、前記第１の押圧釦を前記支持体から離間させるように支持する第１の弾性部材と、
前記孔部の底部と前記第２の押圧釦との間に設けられ、前記第２の押圧釦を前記孔部の底部から離間させるように支持する第２の弾性部材とをさらに備え、
前記第１の弾性部材の弾性係数は前記第２の弾性部材の弾性係数よりも大きい操作釦。
【請求項２】
前記第１の押圧面の裏面と、前記第１の突出部と、前記第２の押圧面の裏面と、前記第２の突出部とを覆うように設けられる第３の弾性部材をさらに備える請求項１に記載の操作釦。
【請求項３】
前記第１の押圧面の揺動端には段部が形成され、
前記段部と係合する押圧防止部材をさらに備え、
前記押圧防止部材は前記第１の押圧釦が前記第２の押圧釦よりも先に押圧されることを防止する請求項１に記載の操作釦。
【請求項４】
前記第１の押圧釦は前記第１の押圧面の裏面から押圧方向に突出する第１の突出部を備え、
前記第２の押圧釦は前記第２の押圧面の裏面から押圧方向に突出して前記孔部の底部に設けられた嵌合穴と遊嵌する第２の突出部を備え、
前記第２の突出部が前記第２の押圧面の裏面から突出する長さは、前記第１の突出部が前記第１の押圧面の裏面から突出する長さよりも長い請求項１に記載の操作釦。
【請求項５】
請求項１に記載の操作釦を備えるカメラ。
【請求項６】
請求項２に記載の操作釦を備える防水カメラ。
【発明の詳細な説明】
【技術分野】
【０００１】
本発明は、例えば携帯用機器に用いられる操作釦に関する。
【背景技術】
【０００２】
操作釦は例えばカメラのシャッターレリーズとして用いられる。シャッターレリーズは２段スイッチにより構成され、ユーザが１段押圧すると、カメラは測光動作といった撮影動作を準備するための動作を行う。さらにシャッターレリーズが押圧され、２段目のスイッチが押圧されるとカメラは撮影動作を行う。
【０００３】
シャッターレリーズが２段階に分かれていることをユーザに認識させるため、押圧に対する反力は１段目よりも２段目の方が大きくなるように構成される（特許文献１）。
【特許文献１】特開平９−７３８４３号公報
【発明の開示】
【発明が解決しようとする課題】
【０００４】
しかし、反力の差はわずかであり、ユーザは１段目のみを押圧する意図でシャッターレリーズを押圧しても、２段目まで押圧してしまうことがある。手袋等を着用して操作するとき、この傾向がさらに顕著となる。
【０００５】
本発明はこの問題を解決するためになされたものであり、２段スイッチであることをユーザに容易に認識させることができる操作釦を得ることを目的とする。
【課題を解決するための手段】
【０００６】
本願第１の発明による操作釦は、有底筒状の孔部の開口端から底部に向けて押圧される第１の押圧釦と、孔部の内周面と側面で遊嵌する第２の押圧釦と、第１の押圧釦の端部と係合して押圧方向への端部の動きを規制する移動規制部材とを備え、第１の押圧釦は、端部を支点として揺動自在となるように設けられることを特徴とする。
【０００７】
第１の押圧釦は、孔部が設けられる第１の押圧面と、第１の押圧面の裏面から押圧方向に突出する第１の突出部とを備え、第２の押圧釦は、第１の押圧面と略同じ方向に向けて設けられる第２の押圧面と、第２の押圧面の裏面から押圧方向に突出して孔部の底部に設けられた嵌合穴と遊嵌する第２の突出部とを備えることが好ましい。
【０００８】
操作釦は、第１の突出部に対向して設けられる第１のスイッチと、第２の突出部に対向して設けられる第２のスイッチと、第１のスイッチ及び第２のスイッチが固定される支持体と、第１の押圧釦と支持体との間に設けられ第１の押圧釦を支持体から離間させるように支持する第１の弾性部材と、孔部の底部と第２の押圧釦との間に設けられ第２の押圧釦を孔部の底部から離間させるように支持する第２の弾性部材とをさらに備えるものであればなお良い。
【０００９】
そして、第１の弾性部材の弾性係数は第２の弾性部材の弾性係数よりも大きいことが望ましい。
【００１０】
操作釦は、第１の押圧面の裏面と、第１の突出部と、第２の押圧面の裏面と、第２の突出部とを覆うように設けられる第３の弾性部材をさらに備えても良い。
【００１１】
第１の押圧面の揺動端には段部が形成され、操作釦は段部と係合する押圧防止部材をさらに備え、押圧防止部材は第１の押圧釦が第２の押圧釦よりも先に押圧されることを防止するものでも良い。
【００１２】
操作釦において、第１の押圧釦は第１の押圧面の裏面から押圧方向に突出する第１の突出部を備え、第２の押圧釦は第２の押圧面の裏面から押圧方向に突出して孔部の底部に設けられた嵌合穴と遊嵌する第２の突出部を備え、第２の軸が第２の押圧面の裏面から突出する長さは、第１の軸が第１の押圧面の裏面から突出する長さよりも長いことが望ましい。
【００１３】
本願第２の発明による操作釦は、第１の摺動面及び第１の押圧面により形成される第１の段部を有する第１の押圧釦と、第１の摺動面と摺動自在に係合する第２の摺動面と、第１の押圧面により押圧されうるように設けられる第２の押圧面とにより形成される第２の段部を有する第２の押圧釦と、第１の押圧釦を押圧方向と反対方向に付勢する第１の弾性部材と、第２の押圧釦を押圧方向と反対方向に付勢する第２の弾性部材とを備え、第１の摺動面と第２の摺動面が摺動して第２の押圧面が第１の押圧面により押圧されることにより、第２の押圧釦は押圧方向に移動することを特徴とする。
【００１４】
本願第３の発明によるカメラは操作釦を備えることが好ましい。
【００１５】
本願第４の発明による防水カメラは、第１の押圧面の裏面と、第１の突出部と、第２の押圧面の裏面と、第２の突出部とを覆うように設けられる第３の弾性部材をさらに備える操作釦を備えることが好ましい。
【発明の効果】
【００１６】
本発明によれば、２段スイッチであることをユーザに容易に認識させることができる操作釦を得ることができる。
【発明を実施するための最良の形態】
【００１７】
以下、本発明における操作釦の第１実施形態について添付図面を参照して説明する。
【００１８】
図１から図４を用いて操作釦２００ａの第１実施形態について説明する。
【００１９】
操作釦２００ａは第１及び第２の押圧釦２２０ａ、２４０ａを有し、略長方形を成すカメラ１００の頂部１１０に設けられる。第１及び第２の押圧釦２２０ａ、２４０ａは、カメラ１００の頂部１１０に設けられた設置穴１１２から略長方形の第１及び第２の押圧面２２１ａ、２４１ａを露出する。第１の押圧面２２１ａは略長方形の開口端２２９ａを有する孔部２２２ａを備え、孔部２２２ａはカメラ頂部１１０の中央側に偏って設けられる。
【００２０】
図２を用いて操作釦２００ａの構成について説明する。図２は押圧されていない状態の操作釦２００ａを示す。
【００２１】
第１の押圧釦２２０ａの孔部２２２ａは有底筒状であって、第１の押圧釦２２０ａの厚さに対して略１／３の深さを有する。孔部２２２ａの底部には第１の押圧面２２１ａの裏面２２３ａまで貫通する嵌合穴２２４ａが設けられる。第１の押圧面２２１ａの裏面２２３ａにおいて、嵌合穴２２４ａから離間した位置には第１の突出部２２５ａが設けられる。孔部２２２ａに近い第１の押圧釦２２０ａの短辺の裏面２２３ａは、カメラ１００の外装部材１１４から孔部２２２ａの短辺全長に渡って張り出す移動規制部材２６０ａと係合する。これにより、第１の押圧釦２２０ａは、孔部２２２ａ側短辺のカメラ内部方向への動きが規制され、この短辺周りに揺動する。
【００２２】
第２の押圧釦２４０ａは第２の押圧面２４１ａの裏面２４３ａからカメラ１００の内部側に伸びる第２の突出部２４５ａを備える。第２の押圧面２４１ａの裏面２４３ａには、第２の弾性部材である第２の圧縮バネ２５０ａと係合するための凹部が形成される。第２の圧縮バネ２５０ａは第２の突出部２４５ａと同軸に設けられ、凹部と孔部２２２ａの底部と係合する。
【００２３】
第２の突出部２４５ａは先端が第１の押圧面２２１ａの裏面２２３ａから突出し、先端から一定の距離を置いた部位に抜け止めクリップ２４６ａが取り付けられる。抜け止めクリップ２４６ａは第１の押圧面２２１ａの裏面２２３ａと係合して、第２の押圧釦２４０ａがカメラ１００の外部側に抜けることを防止する。抜け止めクリップ２４６ａが第１の押圧面２２１ａの裏面２２３ａと係合するとき、第２の押圧面２４１ａの裏面２４３ａと孔部２２２ａの底部との距離は、第２の圧縮バネ２５０ａの自由長よりも短い。そのため、第２の圧縮バネ２５０ａは第２の押圧釦２４０ａをカメラ１００の外部側に向けて付勢する。付勢された第２の押圧釦２４０ａは、第２の押圧面２４１ａを第１の押圧面２２１ａから突出する。
【００２４】
第１及び第２の突出部２２５ａ、２４５ａに対向して第１及び第２のプッシュスイッチ２７２、２７４が設けられる。第１及び第２のプッシュスイッチ２７２、２７４は支持体２７６に固定される。
【００２５】
第１の押圧面２２１ａの裏面２２３ａと支持体２７６との間であって、第１の押圧釦２２０ａの揺動端側には第１の弾性部材である第１の圧縮バネ２３０ａが設けられる。第１の圧縮バネ２３０ａは、第１の押圧釦２２０ａがカメラ１００の内部へ落下することを防止すると共に、第１の押圧面２２１ａがカメラ１００の頂面１１０と略面一となるように第１の押圧釦２２０ａを保持する。第１の圧縮バネ２３０ａは、ユーザが第１の押圧釦２２０ａを押圧したとき、反力を与える。第１の圧縮バネ２３０ａのばね定数は第２の圧縮バネ２５０ａよりも大きく、第２の押圧釦２４０ａの押圧で、第１の押圧釦２２０ａは動かない。
【００２６】
図３から４を用いて操作釦２００ａの動作について説明する。図３は、第２の押圧釦２４０ａが押圧されたときの状態を示す。
【００２７】
ユーザが押圧力Ｆ１を第２の押圧面２４１ａに加えると、第２の押圧面２４１ａが第１の押圧面２２１ａと略面一となるように第２の押圧釦２４０ａが押し下げられる。第２の押圧面２４１ａの裏面２４３ａから突出する第２の突出部２４５ａは、第２のプッシュスイッチ２７４を押圧する。これにより、カメラ１００の制御を行うＤＳＰに信号が送信され、カメラ１００は測光動作等の撮影動作に先立って行われる動作、すなわち撮影準備動作を行う。
【００２８】
図４は、第１の押圧釦２２０ａが押圧されたときの状態を示す。
【００２９】
第２の押圧釦２４０ａを押圧した後、ユーザは第１の押圧面２２１ａに力Ｆ２を加える。このとき、第１の押圧釦２２０ａの孔部２２２ａ側に近い端部は移動規制部材２６０ａと係合しているため、その端部を支点として第１の押圧釦２２０ａは揺動する。そして、第１の突出部２２５ａは第１のプッシュスイッチ２７２を押圧する。押圧された第１のプッシュスイッチ２７２はＤＳＰに信号を送信し、ＤＳＰにより制御されたカメラ１００が撮影動作を行う。
【００３０】
第１の押圧面２２１ａは第２の押圧面２４１ａよりもカメラ頂部１１０の長辺方向外側に設けられる。そのため、ユーザは第２の押圧釦２４０ａを押圧した指の位置を変えることなく第１の押圧面２２１ａに力を加えることが可能となる。すなわち、カメラを保持した状態で、例えば人差し指を曲げて指の先端で第２の押圧釦２４０ａを押圧して撮影準備動作を実行させた後、それに続いて指の腹で第１の押圧釦２２０ａを押圧して撮影動作を実行させることができる。
【００３１】
本実施形態によれば、撮影準備動作を行う釦と撮影動作を行う釦を別に設けることにより、ユーザが誤って撮影してしまうことを防止できる。
【００３２】
図５から７を用いて第２の実施形態による操作釦２００ｂについて説明する。第１の実施形態と同様の構成については説明を省略する。
【００３３】
図５は押圧されていない状態の操作釦２００ｂを示す。
【００３４】
カメラ１００の外装部材１１４におけるカメラ内部側には保持部材２８０ｂが設けられる。保持部材２８０ｂと外装部材１１４との間には第１の押圧釦２２０ｂの全周を取り巻く保持スリット２８２ｂが設けられる。
【００３５】
保持スリット２８２ｂには板状の第３の弾性部材２９０ｂが保持される。第３の弾性部材２９０ｂの端部にはフランジ２９１ｂが設けられ、フランジ２９１ｂは保持スリット２８２ｂの全周と係合して、カメラ１００の外部から設置穴１１２を塞ぐ。第３の弾性部材２９０ｂには第１及び第２の突出部２２５ｂ、２４５ｂとそれぞれ嵌合する第１及び第２の凹部２９２ｂ、２９３ｂが設けられる。第３の弾性部材２９０ｂは、第１の押圧釦２２０ｂがカメラ１００の内部へ落下することを防止すると共に、第１の押圧面２２１ｂがカメラ１００の頂面１１０と略面一となるように第１の押圧釦２２０ｂを保持する。これにより、カメラ内部に水や塵芥が侵入することを防止できる。
【００３６】
図６から７を用いて操作釦２００ｂの動作について説明する。
【００３７】
図６は、第２の押圧釦２４０ｂが押圧されたときの状態を示す。ユーザが押圧力Ｆ３を第２の押圧面２４１ｂに加えると、第２の押圧面２４１ｂが第１の押圧面２２１ｂと略面一となるように第２の押圧釦２４０ｂが押し下げられる。第２の押圧面２４１ｂの裏面２４３ｂから突出する第２の突出部２４５ｂは、第３の弾性部材２９０ｂを押圧し伸張させて第２のプッシュスイッチ２７４を押圧する。第３の弾性部材２９０ｂの弾性力は第２の弾性部材の弾性力とのバランスがとられているため、第３の弾性部材２９０ｂが第２の突出部２４５ｂにより伸張させられても、第１の押圧釦２２０ｂがカメラ内部に沈み込むことがない。
【００３８】
図７は、第１の押圧釦２２０ｂが押圧されたときの状態を示す。第２の押圧釦２４０ｂを押圧した後、ユーザは第１の押圧面２２１ｂに力Ｆ４を加える。このとき、第１の押圧釦２２０ｂの孔部２２２ｂ側に近い端部は移動規制部材２６０ｂと係合しているため、その端部を支点として第１の押圧釦２２０ｂは揺動する。そして、第１の突出部２２５ｂは第３の弾性部材２９０ｂを押圧し伸張させて第１のプッシュスイッチ２７２を押圧する。
【００３９】
本実施形態によれば、第３の弾性部材２９０ｂを設けることにより、ユーザの誤撮影、及びカメラ内部に水や塵芥が侵入することを防止する。
【００４０】
図８を用いて第３の実施形態による操作釦２００ｃについて説明する。第１の実施形態と同様の構成については説明を省略する。
【００４１】
カメラ１００の外装部材１１４は、第１の押圧面２２１ｃの一部を覆うように第１の押圧釦２２０ｃの揺動端２２３ｃに向けて張り出す張出部１１３ｃを形成する。張出部１１３ｃは、第１の押圧面２２１ｃにおける揺動端２２３ｃ側の全幅に渡って設けられる。第１の押圧面２２１ｃの揺動端２２３ｃは張出部１１３ｃと係合する段部２２６ｃを有する。
【００４２】
次に操作釦２００ｃの動作について説明する。
【００４３】
ユーザが操作釦２００ｃを押圧しようとするとき、第１及び第２の押圧面２２１ｃ、２４１ｃに指が置かれる。そのため、第２の押圧釦２４０ｃを押圧しようとすると第１の押圧面２２１ｃにも押圧力が加えられる。しかし、第１の押圧面２２１ｃの略半分が張出部１１３ｃによって覆われているため、ユーザは第１の押圧面２２１ｃを押圧することができない。すなわち、第２の押圧釦２４０ｃは第１の押圧釦２２０ｃよりも先に押し下げられる。
【００４４】
本実施形態によれば、第１の押圧釦２２０ｃが第２の押圧釦２４０ｃよりも先に押し下げられることを防ぎ、撮影準備動作が行われる前に撮影してしまうことを防止することができる。
【００４５】
図９から１１を用いて第４の実施形態による操作釦２００ｄについて説明する。第１の実施形態と同様の構成については説明を省略する。
【００４６】
本実施形態では、第２の突出部２４５ｄが第１の押圧面２２１ｄの裏面２２３ｄから突出する長さは、第１の突出部２２５ｄが裏面２２３ｄから突出する長さよりも長い。第１の押圧釦２２０ｄの支点側端部２２７ｄにおいて、第１の押圧面２２１ｄには段部２２８ｄが設けられる。移動規制部材２６０ｄは、第１の押圧釦２２０ｄの支点側端部２２７ｄに向けて開口する溝２６１ｄを有し、溝２６１ｄは支点側端部２２７ｄに対向する設置穴１１２の短辺全長に渡って設けられる。支点側端部２２７ｄは溝２６１ｄと遊嵌し、第１の押圧面２２１ｄに設けられる段部及びカメラ内部側の面は溝２６１ｄの内面と係合する。
【００４７】
図１０及び１１を用いて操作釦２００ｄの動作について説明する。
【００４８】
ユーザが第２の押圧面２４１ｄを押圧せずに第１の押圧面２２１ｄを押圧力Ｆ５で押圧したとき、第１の押圧釦２２０ｄは、第１の押圧釦２２０ｄの支点側端部２２７ｄにおけるカメラ内部側の面と移動規制部材２６０ｄとの接点を支点としてカメラ内部に向けて揺動する。第２の突出部２４５ｄが第２の押圧面２４１ｄの裏面２４３ｄから突出する長さは、第１の突出部２２５ｄが第１の押圧面２２１ｄの裏面２２３ｄから突出する長さよりも長いため、第２の突出部２４５ｄは第１の突出部２２５ｄよりも先にプッシュスイッチを押圧する。
【００４９】
さらにユーザが第１の押圧面２２１ｄを押圧力Ｆ６により押圧すると、操作釦２００ｄは第２の突出部２４５ｄと第２のプッシュスイッチ２７４との接点を支点として揺動する。第１の押圧釦２２０ｄはさらに押し下げられて、第１の突出部２２５ｄが第１のプッシュスイッチ２７２を押圧する。第１のプッシュスイッチ２７２はＤＳＰに信号を送信し、ＤＳＰにより制御されたカメラ１００が撮影動作を行う。そして、この動作は、図１０において示す長さＡ、Ｂ、Ｃ、Ｄが、Ａ＞Ｂ×Ｃ／Ｄの関係を有することにより実現される。
【００５０】
これにより、第１のプッシュスイッチ２７２よりも先に第２のプッシュスイッチ２７４を押し下げることができ、撮影準備動作が行われる前に、ＤＳＰが撮影動作を実行してしまうことを防止できる。さらに、第１の押圧釦２２０ｄを押圧することのみで、撮影準備動作から撮影動作までを順番に行うことが可能となる。
【００５１】
図１２から１４を用いて第５の実施形態による操作釦２００ｅについて説明する。第１の実施形態と同様の構成については説明を省略する。
【００５２】
図１２を用いて操作釦２００ｅの構成について説明する。図１２は押圧されていない状態の操作釦２００ｅを示す。
【００５３】
本実施形態では、第１の押圧釦２２０ｅが押圧されるとカメラ１００が撮影準備動作を行い、第２の押圧釦２４０ｅが押圧されるとカメラ１００が撮影動作を行うように構成される。
【００５４】
第１の押圧釦２２０ｅにおける孔部２２２ｅから遠い短辺の裏面２２３ｅは、カメラ１００の外装部材１１４から張り出す移動規制部材２６０ｅと係合する。この短辺はカメラ内部方向へ動くことを規制されるため、第１の押圧釦２２０ｅはこの短辺を支点として揺動する。そして、第２の押圧釦２４０ｅと孔部２２２ｅの底部との間には第２の弾性部材が設けられず、第２の押圧釦２４０ｅは第２の突出部２４５ｅが第２のプッシュスイッチ２７４と係合することにより支持される。
【００５５】
第１及び第２の突出部２２５ｅ、２４５ｅに対向するように支持体２７６に固定される第１及び第２のプッシュスイッチ２７２、２７４が設けられる。第１の押圧面２２１ｅの裏面２２３ｅと支持体２７６との間には第１の弾性部材である第１の圧縮バネ２３０ｅが設けられる。第１の圧縮バネ２３０ｅの働きは第１の実施形態のものと同様であるため説明を省略する。
【００５６】
図１３から１４を用いて操作釦２００ｅの動作について説明する。
【００５７】
図１３は、第１の押圧釦２２０ｅが押圧されたときの状態を示す。ユーザは第１の押圧面２２１ｅに力Ｆ７を加える。このとき、第１の押圧釦２２０ｅの孔部２２２ｅ側に近い端部は移動規制部材２６０ｅと係合しているため、その端部を支点として第１の押圧釦２２０ｅは揺動する。そして、第１の突出部２２５ｅは第１のプッシュスイッチ２７２を押圧する。押圧された第１のプッシュスイッチ２７２はＤＳＰに信号を送信する。信号を受信したＤＳＰは測光動作といった撮影動作に必要な準備動作を行う。
【００５８】
図１４は、第２の押圧釦２４０ｅが押圧されたときの状態を示す。
【００５９】
第１の押圧釦２２０ｅを押圧した後、ユーザが押圧力Ｆ８を第２の押圧面２４１eに加えると、第２の突出部２４５ｅが第２のプッシュスイッチ２７４を押圧する。第２のプッシュスイッチ２７４はＤＳＰに信号を送信する。信号を受信したＤＳＰは撮影動作を行う。
【００６０】
第１の押圧面２２１ｅは第２の押圧面２４１eよりもカメラ頂部１１０の長辺方向外側に設けられる。操作釦２００ｅを操作する指に近い位置に撮影準備動作を行う第１の押圧釦２２０ｅを配置することにより、ユーザが迅速に撮影準備動作を行うことができるようにし、誤って撮影することを防止する。
【００６１】
図１５から図１８を用いて操作釦２００ｆの第６実施形態について説明する。
【００６２】
操作釦２００ｆは第１及び第２のスライド釦２２０ｆ、２４０ｆを有し、略長方形を成すカメラ１００の頂部１１０に設けられる。カメラ１００の頂部１１０には第１及び第２のスライド釦２２０ｆ、２４０ｆを配置するため、略長方形に開口する設置穴１１２が設けられる。第１及び第２のスライド釦２２０ｆ、２４０ｆは設置穴１１２の長手方向に離間しながら並べて設けられる。第１のスライド釦２２０ｆは第２のスライド釦２４０ｆの方向に向けて押圧可能に設けられる。第２のスライド釦２４０ｆは、第１のスライド釦２２０ｆの押圧方向へ移動可能であるように、そして第１のスライド釦２２０ｆにより押圧されるように設けられる。
【００６３】
図１６を用いて操作釦２００ｆの構成について説明する。図１６は押圧されていない状態の操作釦２００ｆを示す。
【００６４】
第１のスライド釦２２０ｆは、カメラ１００の外装部材１１４のカメラ内部側に設けられる板状をなす第１の基部２２１ｆと、設置穴１１２長手方向において第１の基部２２１ｆの略中央に取り付けられる第１の押圧突起２２２ｆとから成る。第１の押圧突起２２２ｆは第１の基部２２１ｆから直角にカメラ外部に向けて延び、設置穴１１２から突き出る。
【００６５】
第１の基部２２１ｆのカメラ内部側の面からは、カメラ内部に向けて第１の突出部２２５ｆが設けられる。第１の突出部２２５ｆの先端は押圧方向にわずかに曲げられＬ字状の断面形状を成す。
【００６６】
第２のスライド釦２４０ｆは、カメラ１００の外装部材１１４の下に設けられる第２の基部２４１ｆと、第２の基部２４１ｆに取り付けられて設置穴１１２から突出する第２の押圧突起２４２ｆとから成る。第２の押圧突起２４２ｆは、押圧方向へなだらかにカメラ１００の外装から盛り上がるスロープを有する。スロープは、第１の押圧突起２２２ｆよりもわずかに低い高さまで盛り上がり、最も盛り上がった部位は平面を形成する。
【００６７】
第２の基部２４１ｆのカメラ内部側の面からは、カメラ内部に向けて第２の突出部２４５ｆが設けられる。第２の突出部２４５ｆの先端は押圧方向にわずかに曲げられＬ字状の断面形状を成す。第２の押圧突起２４２ｆのカメラ内部側の面は、第１の基部２２１ｆにおけるカメラ外部側の面と摺動可能に接触する。
【００６８】
設置穴１１２の短辺におけるカメラ内部側の面には、第１及び第２の基部２２１ｆ、２４１ｆと係合する第１及び第２の係合部１１５ｆ、１１６ｆが設けられる。第１の基部２２１ｆの設置穴１１２短辺側かつカメラ外部側に位置する面は第１の係合部１１５ｆと係合し、第２の基部２４１ｆの設置穴１１２短辺側かつカメラ外部側に位置する面は第２の係合部１１６ｆと係合する。
【００６９】
第１及び第２の突出部２２５ｆ、２４５ｆの先端に対向して第１及び第２のプッシュスイッチ２７２、２７４が設けられる。第１及び第２のプッシュスイッチ２７２、２７４は支持体２７６に固定される。第１及び第２の基部２４１ｆにおけるカメラ内部側の面には第１及び第２の弾性部材である第１及び第２の引張バネ２３０ｆ、２５０ｆが設けられる。第１及び第２の引張バネ２３０ｆ、２５０ｆはカメラ１００の筐体に固定され、押圧方向と反対方向に第１及び第２のスライド釦２２０ｆ、２４０ｆを付勢する。
【００７０】
図１７から１８を用いて操作釦２００ｆの動作について説明する。
【００７１】
図１７は、第２のスライド釦２４０ｆが押圧されたときの状態を示す。ユーザが押圧力Ｆ９を第２の押圧突起２４２ｆに加えると、第２の押圧突起２４２ｆが第１の押圧突起２２２ｆに突き当たるまで第２のスライド釦２４０ｆがスライドする。第２の突出部２４５ｆは、第２のプッシュスイッチ２７４を押圧する。これにより、カメラ１００の制御を行うＤＳＰに信号が送信され、カメラ１００は測光動作といった撮影動作に必要な準備を行う。
【００７２】
図１８は、第１のスライド釦２２０ｆが押圧されたときの状態を示す。第２のスライド釦２４０ｆが第１のスライド釦２２０ｆまでスライドした後、ユーザは第２の押圧突起２４２ｆにさらに力Ｆ１０を加える。これにより、第１のスライド釦２２０ｆは第２の押圧突起２４２ｆに押圧されて押圧方向にスライドする。このとき、力Ｆ１０に対して第１及び第２の引張バネ２３０ｆ、２５０ｆが対抗する。そのため、力Ｆ１０は力Ｆ９よりも大きくなければならない。
【００７３】
これにより、ユーザは操作釦２００ｆの１段目と２段目の抗力の違いを明らかに認識することができ、誤って２段目まで押圧し撮影することを防止することができる。
【００７４】
そして、第１のスライド釦２２０ｆから突き出る第１の突出部２２５ｆは第１のプッシュスイッチ２７２を押圧する。押圧された第１のプッシュスイッチ２７２はＤＳＰに信号を送信し、ＤＳＰにより制御されたカメラ１００が撮影動作を行う。
【００７５】
本実施形態によれば、撮影準備動作を行う釦と撮影動作を行う釦を別に設けることにより、ユーザが誤って撮影してしまうことを防止できる。
【００７６】
なお、第１及び第２の弾性部材は弦巻バネでなくても良く、リーフバネやゴム等の反力を確保しうるものであればよい。
【図面の簡単な説明】
【００７７】
【図１】第１の実施形態による操作釦を用いたカメラの平面図である。
【図２】図１のII−II断面における操作釦の断面図である。
【図３】第２の押圧釦が押圧されたときの操作釦の断面図である。
【図４】第１の押圧釦が押圧されたときの操作釦の断面図である。
【図５】第２の実施形態による操作釦の断面図である。
【図６】第２の押圧釦が押圧されたときの操作釦の断面図である。
【図７】第１の押圧釦が押圧されたときの操作釦の断面図である。
【図８】第３の実施形態による操作釦の断面図である。
【図９】第４の実施形態による操作釦の断面図である。
【図１０】第１の押圧釦が押圧されたときの操作釦の断面図である。
【図１１】第１の押圧釦がさらに押圧されたときの操作釦の断面図である。
【図１２】第５の実施形態による操作釦の断面図である。
【図１３】第１の押圧釦が押圧されたときの操作釦の断面図である。
【図１４】第２の押圧釦が押圧されたときの操作釦の断面図である。
【図１５】第６の実施形態による操作釦を用いたカメラの平面図である。
【図１６】図１５のXVI−XVI断面における操作釦の断面図である。
【図１７】第２のスライド釦が押圧されたときの操作釦の断面図である。
【図１８】第１のスライド釦が押圧されたときの操作釦の断面図である。
【符号の説明】
【００７８】
１００  カメラ
２００ａ  操作釦
２２０ａ  第１の押圧釦
２４０ａ  第２の押圧釦
２３０ａ  第１の圧縮バネ
２５０ａ  第２の圧縮バネ
２６０ａ  移動規制部材
２７２  第１のプッシュスイッチ
２７４  第２のプッシュスイッチ
２７６  支持体
【図１】
0004951425.tif 000002
【図２】
0004951425.tif 000003
【図３】
0004951425.tif 000004
【図４】
0004951425.tif 000005
【図５】
0004951425.tif 000006
【図６】
0004951425.tif 000007
【図７】
0004951425.tif 000008
【図８】
0004951425.tif 000009
【図９】
0004951425.tif 000010
【図１０】
0004951425.tif 000011
【図１１】
0004951425.tif 000012
【図１２】
0004951425.tif 000013
【図１３】
0004951425.tif 000014
【図１４】
0004951425.tif 000015
【図１５】
0004951425.tif 000016
【図１６】
0004951425.tif 000017
【図１７】
0004951425.tif 000018
【図１８】
0004951425.tif 000019